(57)【要約】【課題】商品温度が把握できるとともに、ラベルの貼付作業が簡単な計量ラベルを提供する。【解決手段】計量ラベル１０が貼付された商品が、適温の範囲である摂氏１０度以下まで冷却されると、保存温度表示２０は青色に表示され、青色地に白色部分の文字２１、すなわち「１０℃以下」の記載が表示される。保存温度表示２０の近傍には、「１０℃以下で青色になります」の表示３０が印刷されており、購買者がこの商品を見ると、この商品の温度が摂氏１０度以下であり、適温状態であることを目視によって容易に把握できる。【選択図】　図１
2004126043.tif 000002
【特許請求の範囲】
【請求項１】
ラベル基材の表面に可変情報が印字可能で、裏面に粘着剤層が形成されて商品に付される計量ラベルにおいて、
前記計量ラベルのラベル基材の表面には、示温インキによって前記商品の保存温度を示す印刷が施されていることを特徴とする計量ラベル。
【発明の詳細な説明】
【０００１】
【発明の属する技術分野】
本発明は計量ラベルに係り、特に商品などに貼付される計量ラベルに関する。
【０００２】
【従来の技術】
従来より、パックされた肉などの食料品には計量ラベルが貼付されて販売されている。この計量ラベルは、食料品名やこの食料品名に対応するバーコード、重量あたりの単価、食料品の重量、価格などが計量装置の印字部により予め印字された後、食料品などに貼付される。
【０００３】
また、従来から検温インキを使用した検温ラベルを商品に貼付することで、商品の温度を把握できる技術が知られている（たとえば特許文献１参照）。検温インキは温度の昇温または降温に従ってその色や透明度が変化するもので、これを検温ラベルに用いれば、色や透明度によって商品が適温に達したか否かなどが判別できる。
【０００４】
【特許文献１】
特開２００１−１４１５７６
【０００５】
【発明が解決しようとする課題】
しかし、前記検温ラベルは固定情報のラベルであるため、店舗などで当該商品の販売を行う際には、商品の計量表示などの可変情報が印字された計量ラベルの他に検温ラベルを貼付しなければならなかった。このため、ラベルの貼付作業が煩雑となるほか、ラベルの費用が高くなるという欠点があった。
【０００６】
本発明はこのような事情に鑑みて成されたもので、商品温度が把握できるとともに、ラベルの貼付作業が簡単な計量ラベルを提供することを目的とする。
【０００７】
【課題を解決するための手段】
請求項１記載の本発明は、ラベル基材の表面に可変情報が印字可能で、裏面に粘着剤層が形成されて商品に付される計量ラベルにおいて、前記計量ラベルのラベル基材の表面には、示温インキによって前記商品の保存温度を示す印刷が施されていることを特徴としている。
【０００８】
本発明によれば、可変情報が印字可能な計量ラベルに商品の保存温度を示す印刷が示温インキによってなされているので、商品の保存温度が容易に把握できるとともに、ラベルの貼付作業が簡単になる。
【０００９】
【発明の実施の形態】
以下、添付図面に従って本発明に係る計量ラベルの好ましい実施の形態について詳説する。図１には計量ラベル１０の斜視図、図２には図１におけるＡ−Ａ断面図を示す。
【００１０】
図１において、計量ラベル１０の表面には商品の品名印字部１２、重量あたりの単価印字部１４、重量印字部１６、価格印字部１８などが設けられており、これら印字部には可変情報（例として「牛バラ肉」，「１５０」，「４１０」，「６１５」など）が印字される。また、夫々の印字部の近傍には、「品名：」１５や罫線１７，１７などの固定情報が印刷されている。なお、前記可変情報として商品情報に対応したバーコードを計量ラベル１０の表面に印字してもよい。
【００１１】
また、計量ラベル１０の表面には保存温度表示２０が印刷されている。この保存温度表示２０は、計量ラベル１０が貼付される商品の好ましい保存温度を示すもので、図１においては例として「１０℃以下」の文字２１の記載がなされている。この保存温度表示２０の印刷には示温インキが用いられている。この示温インキは、各種色の顔料に温度の高低によって凝固、溶融する特殊物質を混合し、この特殊物質に粒径３〜１０μのマイクロカプセルに包含したものを特殊バインダーにより結合させたものである。さらに、この示温インキは温度が上昇し指定温度に達すると溶融し、ゲル状に変化すると透明になる性質を有し、−１５度〜６０度の範囲が設定可能な温度範囲とされている。本実施の形態に用いる示温インキは、たとえば示温インキの温度が摂氏１０度以下では青色に変色し、摂氏１０度を超えると赤色に変色するように設定されている。ここで、保存温度表示２０における示温インキの配置態様について説明すると、保存温度表示２０の図中黒色部分が示温インキによる印刷部分であり、この印刷部分のうち文字２１（図中白抜き部分）には示温インキの印刷が施されず、したがって、発色材層２４の地色（白色）が表示される。
【００１２】
図２において、この計量ラベル１０はラベル基材２２、発色材層２４、粘着剤層２６などで構成されている。
【００１３】
ラベル基材２２には、たとえば上質紙やコート紙などの紙材、ＰＥＴ（ペット）フィルムなどのフィルム、合成紙、サーマル紙などが使用される。このラベル基材２２の表面にはダイレクトサーマル方式で可変情報の印字を可能とする発色材層２４がコートされている。発色材層２４における符号１９は、この発色材層２４に印字された可変情報である。さらに、発色材層２４の表面には前記保存温度表示２０が印刷されている。なお、耐久性等を向上させるべく、ニスなどのコートをその表面に施すことも可能である。
【００１４】
次に、上記の如く構成された計量ラベル１０の作用を説明する。
【００１５】
たとえば、この計量ラベル１０が貼付された商品が適温の範囲である摂氏１０度以下まで冷却されると、図１に示した保存温度表示２０は青色（図中では黒色）に表示され、青色地に白色部分の文字２１、すなわち「１０℃以下」の記載が表示される。保存温度表示２０の近傍には「１０℃以下で青色になります。」の表示３０が印刷されており、購買者がこの商品を見ると、この商品の温度が摂氏１０度以下であり、適温状態であることを目視によって容易に把握できる。
【００１６】
これに対して、例えば商品の温度が摂氏１０度以上となると、保存温度表示２０は青色から赤色に変色する。購買者がこの商品を見ると、この商品の温度が摂氏１０度以上であり、過温状態であることを目視によって容易に把握できる。なお、この商品の温度が摂氏１０度以下となると、保存温度表示２０は赤色から青色に戻る。
【００１７】
とくに、本発明の計量ラベルが食肉など、生もののパックに貼付される場合には、その陳列場所は店舗などで温度管理機能を備えた陳列スペースに設置される。したがって、購買者によって商品が適温状態であることを確認できるユーザーサービスが可能であり、同時に店舗側では購買者による信頼が得られる。
【００１８】
なお、本実施の形態では示温インキの温度が摂氏１０度以下では青色に変色し、摂氏１０度を超えると赤色に変色するように設定したが、これに限ることなく、所望の温度によって色の変化や色の種類を設定してよいことはいうまでもない。
【００１９】
ここで、本発明の別の実施の形態として、たとえば温度変化に伴い、透明度が変化する示温インキを用いることもできる。この示温インキは、たとえば摂氏１２度以上では赤色に変色し、摂氏１２度以下となるにつれて徐々に赤色の透明度が変化して赤色の色が薄れ、摂氏１０度以下となることで略透明となる。この状態から示温インキの温度が上昇した場合には赤色に戻る。
【００２０】
このような構成の示温インキを用いる場合には、図４に示す計量ラベル３６のように、保存温度表示４０の文字４１を「１０℃以上」としておき、保存温度表示４０の近傍には、「表示部は１０℃以下で透明となります。」の表示４４を印刷しておく。
【００２１】
計量ラベル３６が貼付された商品が適温の範囲である摂氏１０度以下まで冷却されると、図３に示すように保存温度表示４０は略透明に表示され、発色材層２４の地色（白色）が表示される。保存温度表示４０の近傍には、「表示部は１０℃以下で透明となります。」の表示４４が印刷されており、購買者がこの商品を見ると、この商品の温度が摂氏１０度以下であり、適温状態であることを目視によって容易に把握できる。
【００２２】
これに対して、例えば商品の温度が摂氏１０度以上の過温状態となると、保存温度表示４０の透明度が変化して、図４に示すように赤色（図中では黒色）が現れる。購買者がこの商品を見ると、この商品の温度が摂氏１０度以上であり、過温状態であることを目視によって容易に把握できる。
【００２３】
このように、本発明に係る計量ラベルによれば、計量ラベルに商品の保存温度を示す保存温度表示が印刷されているので、商品の保存温度および商品が適温状態で保存されているか否かが目視によって容易に把握できる。また、計量ラベル１０によって示温効果と可変情報が印字できる可変情報ラベルが得られるので、貼付作業に手間取ることもなく、またラベルの費用も低減できる。
【００２４】
ここで、上述したような実施の形態に示した計量ラベルの構成は、前記実施の形態に限定されるものではない。たとえば、本実施の形態では保存温度表示２０，４０における図中黒色部分を示温インキによる印刷部分としているが、これに限ることなく、保存温度表示２０，４０の文字２１，４１の部分のみを示温インキによる文字印刷部分としてもよい。
【００２５】
また、本実施の形態に示した可逆性の示温インキに代えて、最も上昇した温度の色又は透明度を示したままとする不可逆性の示温インキによって保存温度表示を示す構成とすれば、商品の搬送中などにおいて、商品の温度が上昇してしまった場合にも判別できる。同様に、最も下降した温度の色又は透明度を示したままとする不可逆性の示温インキによって保存温度表示を示せば、商品の温度が下降してしまった場合も判別できる。
【００２６】
また、本実施の形態においては例として食肉など、生もののパックに貼付される場合を例として説明したが、これに限ることなく、たとえば温度管理の必要な薬品などにも本発明を適用できる。
【００２７】
【発明の効果】
以上、説明したように本発明に係る計量ラベルは、商品の保存温度を示す印刷がなされているので、商品の保存温度および商品が適温状態で保存されているか否かが目視によって容易に把握できる。
【図面の簡単な説明】
【図１】本発明にかかる計量ラベルを示す斜視図
【図２】本発明にかかる計量ラベルの図１におけるＡ−Ａ断面図
【図３】本発明にかかる計量ラベルの別の実施の形態を示す斜視図
【図４】本発明にかかる計量ラベルの別の実施の形態の作用を示す斜視図
【符号の説明】
１０…計量ラベル、２０…保存温度表示、２２…ラベル基材、２６…粘着剤層
【図１】
2004126043.tif 000003
【図２】
2004126043.tif 000004
【図３】
2004126043.tif 000005
【図４】
2004126043.tif 000006